(57)【要約】【課題】プリント出力前に画像の仕上がり確認を行う。【解決手段】本発明の実施形態に係る画像管理装置は、用紙サイズ毎にプリンタでのプリント出力が保証された出力保証エリアサイズが登録されたプリンタ情報と、販売画像のデータとを格納する記憶部と、前記プリンタ情報を参照し、外部端末から指定された用紙サイズの出力保証エリアサイズに基づいて、前記販売画像における出力保証エリアの位置を計算する計算部と、前記計算部により計算された前記販売画像における出力保証エリアの位置を示す仕上がり確認画面を作成し、前記外部端末へ前記仕上がり確認画面を送信する画面送信部と、を備える。【選択図】図１
2019204356.tif 000002
【特許請求の範囲】
【請求項１】
用紙サイズ毎にプリンタでのプリント出力が保証された出力保証エリアサイズが登録されたプリンタ情報と、販売画像のデータとを格納する記憶部と、
前記プリンタ情報を参照し、外部端末から指定された用紙サイズの出力保証エリアサイズに基づいて、前記販売画像における出力保証エリアの位置を計算する計算部と、
前記計算部により計算された前記販売画像における出力保証エリアの位置を示す仕上がり確認画面を作成し、前記外部端末へ前記仕上がり確認画面を送信する画面送信部と、
を備える画像管理装置。
【請求項２】
前記プリンタ情報は、プリンタの機種毎及び用紙サイズ毎に前記出力保証エリアサイズが登録されていることを特徴とする請求項１に記載の画像管理装置。
【請求項３】
前記外部端末から前記販売画像のデータを受信する画像受信部をさらに備えることを特徴とする請求項１又は２に記載の画像管理装置。
【請求項４】
前記外部端末から前記販売画像のプリント注文を受け付ける注文受付部をさらに備えることを特徴とする請求項１又は２に記載の画像管理装置。
【請求項５】
前記仕上がり確認画面を介して、前記販売画像の拡縮の指示を受け付けることを特徴とする請求項１乃至４のいずれか１項に記載の画像管理装置。
【請求項６】
前記販売画像の拡大処理の可否が設定できることを特徴とする請求項５に記載の画像管理装置。
【請求項７】
前記出力保証エリアサイズは、用紙サイズと、前記プリンタが用紙を断裁する際の塗り足しのサイズとに基づくものであることを特徴とする請求項１乃至６のいずれかに記載の画像管理装置。
【請求項８】
前記仕上がり確認画面において、前記販売画像のうち前記出力保証エリアよりも外側の部分は網掛け表示されることを特徴とする請求項１乃至７のいずれか１項に記載の画像管理装置。
【請求項９】
請求項１乃至８のいずれか１項に記載の画像管理装置と、
前記画像管理装置と通信可能に接続され、プリンタを内蔵し、このプリンタでのプリント出力が保証された出力保証エリアサイズが登録された画像プリント装置と、
を備え、
前記画像管理装置は前記販売画像を前記画像プリント装置へ送信し、
前記画像プリント装置は、受信した前記販売画像の一覧画面を表示し、前記一覧画面から選択された販売画像について、前記出力保証エリアサイズに基づいて出力保証エリアの位置を計算し、計算した前記販売画像における出力保証エリアの位置を示す仕上がり確認画面を作成して表示することを特徴とする画像販売システム。
【請求項１０】
販売画像のデータを格納する記憶部を有する画像管理装置と、
前記画像管理装置と通信可能に接続され、プリンタを内蔵し、このプリンタでのプリント出力が保証された出力保証エリアサイズが登録されたプリンタ情報を有する画像プリント装置と、
を備え、
前記画像管理装置は前記販売画像を前記画像プリント装置へ送信し、
前記画像プリント装置は、受信した前記販売画像の一覧画面を表示し、前記一覧画面から選択された販売画像について、前記出力保証エリアサイズに基づいて出力保証エリアの位置を計算し、計算した前記販売画像における出力保証エリアの位置を示す仕上がり確認画面を作成して表示することを特徴とする画像販売システム。
【発明の詳細な説明】
【技術分野】
【０００１】
本発明は、画像管理装置及び画像販売システムに関する。
【背景技術】
【０００２】
アーティストやスポーツ選手等を撮影し、プリントした写真（ブロマイド）を販売する画像販売サービスが提供されている。例えば、サービス提供者は、撮影画像データを登録したセルフプリント機を店舗に設置する。顧客は、セルフプリント機を操作し、販売画像一覧から購入したい画像を選択し、貨幣を投入する。セルフプリント機は、内蔵するプリンタを使用して、顧客から選択された画像を用紙にプリントして写真を作製する。
【０００３】
また、サービス提供者は、写真販売用のウェブサイトを作成する場合がある。顧客は、スマートフォンやＰＣ等の端末を使用してウェブサイトにアクセスし、販売画像一覧から購入したい画像を選択する。顧客は、自宅住所等を入力し、クレジットカード決済を行い、プリント注文を完了する。選択された画像のデータは工場へ転送され、工場に設置されたプリンタが画像を用紙にプリントして写真を作製する。作製された写真は顧客の自宅へ配送される。
【０００４】
被写体を撮影するデジタルカメラは、通常、横縦比が３：２、４：３又は１６：９などで撮影画像を生成する。一方、画像をプリントする用紙として一般的なＬ版は横縦比が約５：３．５となっている。撮影画像と用紙とで横縦比が異なると、例えば図９（ａ）（ｂ）の斜線部分のように、画像の上下や左右がプリントされなくなる。そのため、撮影画像と印刷された写真とに違いが生じることがあった。
【０００５】
また、プリンタ毎に用紙の断裁位置が異なるため、同じ撮影画像であっても、プリンタ機種によって印刷された写真に違いが生じることがあった。
【０００６】
上述のような従来の画像販売サービスでは、セルフプリント機に内蔵されたプリンタや、工場に設置されたプリンタなど、様々なプリンタが使用されており、実際に各プリンタからプリント出力してみないと、写真の仕上がりが確認できなかった。そのため、サービス提供者側にとって必要なロゴやサインがプリント時に切れてしまうことがあった。また、画像選択時には画面に写っていたものが、プリント出力された写真では切れていたという不満を顧客が抱くことがあった。
【先行技術文献】
【特許文献】
【０００７】
【特許文献１】特開２００２−２３６７７１号公報
【発明の概要】
【発明が解決しようとする課題】
【０００８】
本発明は、上記従来の実状に鑑みてなされたものであり、プリント出力前に画像の仕上がり確認を行うことができる画像管理装置及び画像販売システムを提供することを課題とする。
【課題を解決するための手段】
【０００９】
本発明による画像管理装置は、用紙サイズ毎にプリンタでのプリント出力が保証された出力保証エリアサイズが登録されたプリンタ情報と、販売画像のデータとを格納する記憶部と、前記プリンタ情報を参照し、外部端末から指定された用紙サイズの出力保証エリアサイズに基づいて、前記販売画像における出力保証エリアの位置を計算する計算部と、前記計算部により計算された前記販売画像における出力保証エリアの位置を示す仕上がり確認画面を作成し、前記外部端末へ前記仕上がり確認画面を送信する画面送信部と、を備えるものである。
【００１０】
本発明の一態様による画像管理装置において、前記プリンタ情報は、プリンタの機種毎及び用紙サイズ毎に前記出力保証エリアサイズが登録されている。
【００１１】
本発明の一態様による画像管理装置において、前記外部端末から前記販売画像のデータを受信する画像受信部をさらに備える。
【００１２】
本発明の一態様による画像管理装置において、前記外部端末から前記販売画像のプリント注文を受け付ける注文受付部をさらに備える。
【００１３】
本発明の一態様による画像管理装置において、前記仕上がり確認画面を介して、前記販売画像の拡縮の指示を受け付ける。
【００１４】
本発明の一態様による画像管理装置において、前記販売画像の拡大処理の可否が設定できる。
【００１５】
本発明の一態様による画像管理装置において、前記出力保証エリアサイズは、用紙サイズと、前記プリンタが用紙を断裁する際の塗り足しのサイズとに基づくものである。
【００１６】
本発明の一態様による画像管理装置において、前記仕上がり確認画面において、前記販売画像のうち前記出力保証エリアよりも外側の部分は網掛け表示される。
【００１７】
本発明の一態様による画像販売システムは、本発明の画像管理装置と、前記画像管理装置と通信可能に接続され、プリンタを内蔵し、このプリンタでのプリント出力が保証された出力保証エリアサイズが登録された画像プリント装置と、を備え、前記画像管理装置は前記販売画像を前記画像プリント装置へ送信し、前記画像プリント装置は、受信した前記販売画像の一覧画面を表示し、前記一覧画面から選択された販売画像について、前記出力保証エリアサイズに基づいて出力保証エリアの位置を計算し、計算した前記販売画像における出力保証エリアの位置を示す仕上がり確認画面を作成して表示するものである。
【００１８】
本発明の一態様による画像販売システムは、販売画像のデータを格納する記憶部を有する画像管理装置と、前記画像管理装置と通信可能に接続され、プリンタを内蔵し、このプリンタでのプリント出力が保証された出力保証エリアサイズが登録されたプリンタ情報を有する画像プリント装置と、を備え、前記画像管理装置は前記販売画像を前記画像プリント装置へ送信し、前記画像プリント装置は、受信した前記販売画像の一覧画面を表示し、前記一覧画面から選択された販売画像について、前記出力保証エリアサイズに基づいて出力保証エリアの位置を計算し、計算した前記販売画像における出力保証エリアの位置を示す仕上がり確認画面を作成して表示するものである。
【発明の効果】
【００１９】
本発明によれば、プリント出力前に画像の仕上がり確認を行うことができる。
【図面の簡単な説明】
【００２０】
【図１】本発明の実施形態に係る画像販売システムの概略構成図である。
【図２】（ａ）〜（ｃ）はプリントされない部分を示す図であり、（ｄ）は出力保証エリアの例を示す図である。
【図３】プリンタ情報の例を示す図である。
【図４】仕上がり確認画面の例を示す図である。
【図５】（ａ）（ｂ）は仕上がり確認画面の例を示す図である。
【図６】画像管理装置の機能ブロック図である。
【図７】画像プリント装置のブロック構成図である。
【図８】画像プリント装置の斜視図である。
【図９】（ａ）（ｂ）は撮影画像におけるプリントされない部分の例を示す図である。
【図１０】（ａ）〜（ｃ）は断裁位置の例を示す図である。
【発明を実施するための形態】
【００２１】
以下、本発明の実施の形態を図面に基づいて説明する。
【００２２】
図１は、本発明の実施形態に係る画像販売システムの概略構成図である。画像販売システムは、画像管理装置１及び画像プリント装置２を備える。画像の著作権者は、登録端末３を用いて、販売したい画像のデータを画像管理装置１に登録する。
【００２３】
画像管理装置１は、登録された画像データを画像プリント装置２へ送信する。画像プリント装置２は、プリンタを収容したセルフプリント機であり、画像管理装置１から画像データを受信すると、販売画像の一覧画面をタッチパネル等に表示する。顧客は一覧画面から購入したい画像を選択し、料金を画像プリント装置２に投入する。画像プリント装置２は、選択された画像を用紙に印刷して、プリント物（写真）Ｐ１を出力する。
【００２４】
また、画像管理装置１は、写真販売用のウェブサイトを提供する。顧客は、スマートフォンやＰＣ等のユーザ端末４を用いてウェブサイトにアクセスし、販売画像の一覧画面を閲覧する。顧客は、一覧画面から購入したい画像を選択し、自宅住所を入力し、クレジットカード決済等で料金を支払う。画像管理装置１は、選択された画像のデータを工場５へ転送する。工場５に設置されたプリンタが、転送された画像を用紙に印刷して、プリント物（写真）Ｐ２を作製する。プリント物Ｐ２は、顧客の自宅へ配送される。
【００２５】
画像管理装置１に登録されて販売される画像は、例えばプロカメラマンがスポーツ選手、ミュージシャン、アイドル等をデジタルカメラで撮影した画像である。デジタルカメラは、通常、横縦比が３：２、４：３又は１６：９などで撮影画像を生成する。一方、画像をプリントする用紙として一般的なＬ版は横縦比が約５：３．５となっている。横縦比が４：３の撮影画像をＬ版の用紙に印刷すると、図９（ａ）に示すように画像の上下がプリントされなくなる。横縦比が１６：９の撮影画像をＬ版の用紙に印刷すると、図９（ｂ）に示すように、画像の左右がプリントされなくなる。
【００２６】
また、フチなし印刷（紙端まで画像を印刷した余白なしの写真）を行う場合には、断裁ズレを考慮して、仕上がりサイズよりも大きく印刷した上で指定サイズに断裁し、紙の端に白フチが出ないようにしている。仕上がりサイズよりも外側にある、裁ち落とされる部分は「塗り足し」とも言われる。撮影画像のうち、塗り足し部分が切れて仕上がる。
【００２７】
図１０（ａ）は、断裁線Ｌ１〜Ｌ４により上下左右がほぼ均等に断裁される例を示す。斜線部分が切り落とされる塗り足しであり、仕上がり物には表れない。この断裁位置は図１０（ａ）に示すように上下左右ほぼ均等になる場合もあれば、上下左右に偏ってずれる場合もある。図１０（ｂ）は断裁位置が右下に最大ずれた場合を示し、図１０（ｃ）は断裁位置が左上に最大ずれた場合を示す。
【００２８】
このように、撮影画像と用紙の縦横比の違いや塗り足しにより、撮影画像の一部は用紙にプリントされなくなる。本実施形態では、撮影画像と用紙の縦横比の違いや塗り足しを考慮した上で、撮影画像のうち、用紙に確実にプリントされる領域となる出力保証エリアを設定する。
【００２９】
図２（ａ）は横縦比４：３の撮影画像をＬ版用紙にプリントする場合に、用紙にプリントされない部分（斜線部分）を示している。図２（ｂ）は断裁位置が右下に最大ずれた場合の塗り足しを示している。図２（ｃ）は断裁位置が左上に最大ずれた場合の塗り足しを示している。これらを考慮した上で、図２（ｄ）に示す破線内の領域が、用紙に確実にプリントされる出力保証エリアＧとなる。出力保証エリアＧは、図２（ａ）〜（ｃ）の全ての斜線部分に掛からない領域である。
【００３０】
出力保証エリアＧのサイズは、用紙サイズ及びプリンタ機種によって異なる。画像管理装置１は、図３に示すような、プリンタ機種毎の出力保証エリアサイズが登録されたプリンタ情報を保持している。図３に示すプリンタ情報において「出力サイズ」は用紙サイズであり、プリンタ機種によらず同じ値である。「プリントエリアサイズ」は塗り足しを含めたプリントサイズであり、プリンタ機種によって異なった値となる。「出力保証エリアサイズ」は出力サイズ及びプリントエリアサイズから計算される。
【００３１】
例えば、プリンタＢのＬ版では出力サイズが８９×１２７、プリントエリアサイズが９５×１３３となっている。数値の単位はｍｍである。上下左右に均等に断裁される場合、塗り足しの幅は３ｍｍである。断裁位置が最大ずれた場合の塗り足しの幅は６ｍｍとなる。プリントエリアサイズから上下左右に６ｍｍの幅を除いた８３×１２１が出力保証エリアサイズとなる。
【００３２】
登録端末３が、画像管理装置１に画像を登録した後、例えば画像プリント装置２に収容されたプリンタでのＬ版での仕上がり確認を要求すると、画像管理装置１は、図４に示すような仕上がり確認画面を作成して表示する。画像管理装置１は、プリンタ情報から、画像プリント装置２に収容されているプリンタの機種のＬ版に対応する出力保証エリアサイズを抽出し、登録された画像内の出力保証エリアの位置を計算する。仕上がり確認画面では、登録された画像のうち、出力保証エリアよりも外側の部分を網掛け表示する。
【００３３】
用紙サイズ変更ボタン４０で用紙サイズを変更して仕上がり確認を行うことができる。用紙サイズが変更された場合、画像管理装置１は、プリンタ情報から用紙サイズに対応する出力保証エリアサイズを抽出して出力保証エリアを計算し、登録された画像のうち、出力保証エリアよりも外側の部分を網掛け表示する。
【００３４】
拡縮スライドバー４２を操作することで、図５（ａ）（ｂ）に画像を拡大したり、縮小したりできる。
【００３５】
網掛け部分は、プリント出力した際に、プリント物に印刷されない可能性がある領域である。例えば、著作権者や管理者は、必要なロゴやサインが出力保証エリアに含まれているかを確認する。出力保証エリアに含まれていれば、断裁位置がずれた場合でも、ロゴやサインがプリント時に切れることを防止できる。ロゴやサインの一部が網掛け部分にかかる場合は、少し縮小して、出力保証エリアに収めることができる。あるいは、画像を拡大し、上下左右に動かして、出力保証エリアに収めてもよい。画像を拡縮した場合は、拡縮後の画像が販売画像となる。
【００３６】
この仕上がり確認画面は、登録端末３だけでなく、ユーザ端末４にも提供される。例えば、顧客がユーザ端末４を操作し、購入したい画像を選択した後、Ｌ版での仕上がり確認要求を行う。画像管理装置１は、プリンタ情報から、工場５に設置されているプリンタの機種のＬ版に対応する出力保証エリアサイズを抽出し、選択された画像内の出力保証エリアの位置を計算する。仕上がり確認画面では、顧客が選択した画像のうち、出力保証エリアよりも外側の部分を網掛け表示する。
【００３７】
顧客は、自らにとって重要な被写体が出力保証エリアに含まれているか確認する。出力保証エリアに含まれていれば、断裁位置がずれた場合でも、被写体がプリント時に切れることを防止できる。被写体の一部が網掛け部分にかかる場合は、少し縮小して、出力保証エリアに収めることができる。また、重要な被写体が出力保証エリアの大部分となるように拡大することもできる。画像を拡縮した場合は、拡縮後の画像がプリント出力される。
【００３８】
また、画像プリント装置２は、自装置に収容されているプリンタについて、図３に示すようなプリンタ情報を保有しており、仕上がり確認画面を作成して表示する。例えば、顧客が販売画像の一覧画面から購入したい画像を選択した後、Ｌ版での仕上がり確認要求を行う。画像プリント装置２は、自装置内のプリンタの機種のＬ版に対応する出力保証エリアサイズから、選択された画像内の出力保証エリアの位置を計算する。仕上がり確認画面では、顧客が選択した画像のうち、出力保証エリアよりも外側の部分を網掛け表示する。
【００３９】
このように、プリンタ機種に応じた出力保証エリアを表示することで、著作権者、管理者、顧客は、重要な被写体がプリント時に切れてしまわないか事前に確認することができる。
【００４０】
次に、画像管理装置１について説明する。図６に示すように、画像管理装置１は、ＲＯＭ（Read  Only  Memory）、ＲＡＭ（Random  Access  Memory）、不揮発性メモリ、ハードディスク装置等を含む記憶部１０を有したコンピュータであり、記憶部１０には画像販売プログラム、プリンタ情報等が格納されている。図１では、１台の画像プリント装置２を示しているが、画像プリント装置２は様々な場所に設置された複数の画像プリント装置２と通信可能となっている。
【００４１】
画像管理装置１のＣＰＵ（中央処理部）が画像販売プログラムを実行することで、図６に示すように、画像受信部１１、出力保証エリア計算部１２、画面送信部１３、注文受付部１４及び送信部１５の機能が実現される。
【００４２】
画像受信部１１は、登録端末３から、販売する画像のデータを受信し、記憶部１０に格納する。
【００４３】
出力保証エリア計算部１２は、登録端末３又はユーザ端末４から仕上がり確認の要求を受け取ると、指定されたプリンタ及び用紙サイズの出力保証エリアサイズを抽出し、確認対象画像（登録端末３から登録された画像又はユーザ端末４により選択された画像）における出力保証エリアの位置（領域）を計算する。例えば、確認対象画像の中心を基準に、出力保証エリアサイズの領域を計算する。
【００４４】
画面送信部１３は、仕上がり確認画面を作成して、登録端末３又はユーザ端末４へ送信する。仕上がり確認画面は、確認対象画像を表示し、確認対象画像のうち、出力保証エリア計算部１２が計算した出力保証エリアの位置よりも外側部分を網掛け表示する。
【００４５】
また、画面送信部１３は、販売画像の一覧を含む注文画面をユーザ端末４へ送信する。
【００４６】
注文受付部１４は、ユーザ端末４からプリント注文を受け付け、注文情報を記憶部１０に格納する。注文情報は、選択した画像を識別する情報、プリント枚数、顧客氏名、配送先住所等を含む。
【００４７】
送信部１５は、登録端末３に登録された画像を画像プリント装置２へ送信する。また、送信部１５は、ユーザ端末４からプリント注文された画像を工場５へ送信する。
【００４８】
次に、画像プリント装置２について説明する。図７は画像プリント装置２のブロック構成図であり、図８は画像プリント装置２の斜視図である。図７に示すように、画像プリント装置２は、第１タッチパネル２０Ａ、第２タッチパネル２０Ｂ、データ入力部２１、課金部２２、プリンタ２３、ＣＰＵ（中央処理部）２４、ディスク装置（記憶部）２５、メインメモリ２６、及び通信部２７を有する。
【００４９】
図８に示すように、第１タッチパネル２０Ａは筐体Ｈの天板２Ａ部分に設けられ、第２タッチパネル２０Ｂは筐体Ｈの上部に設けられている。第１タッチパネル２０Ａへの入力操作を行い易いように、天板２Ａ及び第１タッチパネル２０Ａの画面は、手前側が低く奥側が高くなるようにやや傾斜している。第２タッチパネル２０Ｂのディスプレイ画面は、略垂直に立った状態となっている。
【００５０】
第１タッチパネル２０Ａ及び第２タッチパネル２０Ｂは、画像を含む情報を表示したり、利用者から各種指示の入力を受け付けたりする。第１タッチパネル２０Ａ及び／又は第２タッチパネル２０Ｂは、販売画像の一覧画面や仕上がり確認画面を表示する。
【００５１】
データ入力部２１は、デジタルカメラ等で撮影した画像データが記憶された記憶媒体から画像データを読み取ることで、画像データの入力を受け付ける。データ入力部２１は、様々な記憶媒体に対応したデータ読取装置を有している。また、データ入力部２１は、赤外線通信又は無線通信により携帯端末から画像データの入力を受け付けることができる。図８に示すように、データ入力部２１は筐体Ｈの上部、具体的には筐体Ｈの天板２Ａと第２タッチパネル２０Ｂとの間に設けられている。データ入力部２１は、画像プリント装置２が、顧客が持参した画像をプリントする場合も設けられ、画像管理装置２から配信された画像の販売のみを行う場合は省略してもよい。
【００５２】
図８に示すように、課金部２２は、筐体Ｈの前面側に設けられた硬貨投入口２２Ａ、紙幣投入口２２Ｂ、釣銭返却口２２Ｃを有し、硬貨投入口２２Ａ及び紙幣投入口２２Ｂから投入された貨幣を識別計数し、釣銭を釣銭返却口２２Ｃから放出する。
【００５３】
プリンタ２３は、昇華型又はインクジェット型などの高解像度カラープリンタであり、注文内容に基づいて、画像データをプリントして出力する。プリンタ２３は筐体Ｈ内に収容されている。プリンタ２３は複数台設置されていてもよい。図８に示すように、筐体Ｈの前面側には、透明な開閉扉Ｄが開閉自在に設けられている。開閉扉Ｄの裏面側には、プリンタ２３がプリント出力したプリント物が集積される集積部（図示せず）が設けられており、開閉扉Ｄを開けると集積部に集積されたプリント物を取り出せるようになっている。
【００５４】
ディスク装置２５（記憶部）は、制御プログラム、及び通信部２７を介して画像管理装置１から受信した販売画像を格納する。また、ディスク装置２５は、プリンタ２３のプリンタ情報を格納する。ディスク装置２５は例えばハードディスクドライブである。
【００５５】
ＣＰＵ２４は、ディスク装置２５内の制御プログラムをメインメモリ２６にロードし、制御プログラムを実行することで、第１タッチパネル２０Ａ、第２タッチパネル２０Ｂ、課金部２２、プリンタ２３等を制御する制御部として機能する。
【００５６】
制御部は、販売画像の一覧画面を作成して、第１タッチパネル２０Ａに表示する。一覧画面には画像毎にプリント枚数増減ボタンが設けられており、このボタンを押下することで、各画像のプリント枚数を指定し、プリント注文を入力することができる。
【００５７】
また、一覧画面には画像毎に仕上がり確認ボタンが設けられている。仕上がり確認ボタンを押下し、用紙サイズを選択すると、制御部は、プリンタ情報を参照して仕上がり確認画面を作成し、第１タッチパネル２０Ａ（又は第２タッチパネル２０Ｂ）に表示する。仕上がり確認画面で、顧客は画像の拡縮を行うことができる。
【００５８】
プリント注文が完了すると、制御部は、顧客からの注文内容に基づく請求金額を第１タッチパネル２０Ａに表示する。顧客が貨幣を投入すると、課金部２２は投入された貨幣を計数し、釣銭の出金やレシートの印字等を行う。
【００５９】
制御部が、プリンタ２３に、注文内容に基づく画像データのプリントを実行させる。
【００６０】
このように、本実施形態によれば、画像プリント装置２のプリンタ２３や、工場５に設置されたプリンタ等のプリンタ機種毎に、プリント出力前に仕上がり確認を行い、出力保証エリアに所望の被写体が含まれているか確認できる。また、出力保証エリアを見ながら画像の拡縮を行うことができる。そのため、プリント処理時に所望の被写体が切れてしまうことを防止できる。
【００６１】
仕上がり確認画面において画像を拡大すると、販売画像の一部が切れてしまい、著作権（翻案権）や著作者人格権（同一性保持権）を侵害する可能性がある。そのため、管理者は、画像登録時に拡大処理の可否を設定できるようにしてもよい。
【００６２】
上記実施形態において、画像プリント装置２は、画像管理装置１から配信された販売画像だけでなく、顧客が持参した記憶媒体からデータ入力部２１を介して入力された画像についても、仕上がり確認画面を作成して、顧客に提示してもよい。
【００６３】
工場５に機種の異なる複数のプリンタが設置されている場合、各プリンタでの仕上がり確認を行えるようにすることが好ましい。画像管理装置１は、機種毎の仕上がり確認画面を作成する。例えば、工場５に機種I、II、III、IVの４機種のプリンタが設置されている場合、画像管理装置１は、機種I、II、III、IVのそれぞれに対応する４つの仕上がり確認画面を作成する。登録端末３やユーザ端末４は、４つの仕上がり確認画面を順に切り替えながら表示する。あるいはまた、プリンタ機種選択ボタンを設け、管理者や顧客が選択したプリンタ機種の仕上がり確認画面が表示されるようにしてもよい。
【００６４】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６５】
１  画像管理装置
２  画像プリント装置
３  登録端末
４  ユーザ端末
【図１】
2019204356.tif 000003
【図２】
2019204356.tif 000004
【図３】
2019204356.tif 000005
【図４】
2019204356.tif 000006
【図５】
2019204356.tif 000007
【図６】
2019204356.tif 000008
【図７】
2019204356.tif 000009
【図８】
2019204356.tif 000010
【図９】
2019204356.tif 000011
【図１０】
2019204356.tif 000012